(57)【要約】【課題】  パネル体どうしの隣接する縁部のうちで、分離状態である分離部分どうしが離間しないようにできる床暖房パネルの提供。【解決手段】  加熱用長尺体１が配設された一対の矩形状または略矩形状のパネル体２が並べて設けられ、パネル体２どうしの隣接する縁部が、その長手方向の一端側の折り畳み用の接続部３を除いて分離され、パネル体２どうしの隣接する縁部のうちで、分離状態である分離部分どうしを離間しないように接続する接続手段８が設けられている。【選択図】        図４
2005351595.tif 000002
【特許請求の範囲】
【請求項１】
加熱用長尺体が配設された一対の矩形状または略矩形状のパネル体が並べて設けられ、
前記パネル体どうしの隣接する縁部が、その長手方向の一端側の折り畳み用の接続部を除いて分離されている床暖房パネルであって、
前記パネル体どうしの隣接する縁部のうちで、分離状態である分離部分どうしを離間しないように接続する接続手段が設けられている床暖房パネル。
【請求項２】
前記接続手段が、前記分離部分どうしを接続していない接続解除状態においては、平面視において、前記パネル体から外側に突出する部分が存在しないように構成されている請求項１に記載の床暖房パネル。
【請求項３】
前記接続手段が、隣接する一対の前記パネル体の夫々に設けられた磁石体にて構成されている請求項１または２に記載の床暖房パネル。
【請求項４】
前記接続手段が、隣接する一対の前記パネル体にわたって装着自在な係止具にて構成されている請求項１または２に記載の床暖房パネル。
【請求項５】
前記パネル体どうしが隣接する方向に沿う状態で小根太が設けられ、
前記接続手段が、前記小根太のうち、隣接する一対の前記パネル体にわたる状態に嵌め込み装着自在な嵌め込み用の小根太にて構成されている請求項１または２に記載の床暖房パネル。
【請求項６】
前記パネル体どうしが隣接する方向に沿う状態で小根太が設けられ、
前記接続手段が、隣接する一対の前記パネル体のうち一方側から他方側に突出する状態で一方側の前記パネル体に設けられる接続用の小根太と、その接続用の小根太を隣接する一対の前記パネル体にわたる状態に装着すべく、他方側の前記パネル体に設けられて前記接続用の小根太における突出する部分に嵌合する嵌合部とから構成されている請求項１に記載の床暖房パネル。
【発明の詳細な説明】
【技術分野】
【０００１】
本発明は、加熱用長尺体が配設された一対の矩形状または略矩形状のパネル体が並べて設けられ、前記パネル体どうしの隣接する縁部が、その長手方向の一端側の折り畳み用の接続部を除いて分離されている床暖房パネルに関する。
【背景技術】
【０００２】
上記のような床暖房パネルは、パネル体に熱媒流通管や電気ヒータ線などの加熱用長尺体が配設され、暖房対象の床面の大きさなどに応じて並べるパネル体の枚数を変更して構成されており、このように構成された床暖房パネルを、暖房対象の床面に対して、パネル体どうしを隣接する状態で並べて敷設して設置するようにしている。
そして、パネル体どうしの隣接する縁部を接続部を除いて分離させているので、床暖房パネルを運搬する場合や保管する場合に、一対のパネル体を折り畳むことにより、床暖房パネルの大きさを小さくして、梱包作業や運搬作業の簡素化を図るようにしているものである。
【０００３】
このような床暖房パネルとして、従来、パネル体が単位パネルの複数を折り畳み可能な状態で並べて構成され、加熱用長尺体が接続部を通して隣接する一対のパネル体にわたる状態で配設され、一対のパネル体を折り畳んだ状態で単位パネルどうしを折り畳むことにより、単位パネルを重ね合わせる状態で折り畳むようにしているものがある（例えば、特許文献１参照。）。
【０００４】
また、従来、床暖房パネルとして、一対のパネル体どうしが隣接する方向に沿う状態で小根太が設けられた小根太付きの床暖房パネルがあり、この小根太付きの床暖房パネルとして、一対のパネル体の夫々がその長手方向に丸め込み可能に構成され、加熱用長尺体が接続部を通して隣接する一対のパネル体にわたる状態で配設され、一対のパネル体を折り畳んだ状態でパネル体をその長手方向に丸め込むようにしているものがある（例えば、特許文献２参照。）。
【０００５】
【特許文献１】実用新案登録公報第２５２０９５２号公報
【特許文献２】特開２００３−９７８１４号公報
【発明の開示】
【発明が解決しようとする課題】
【０００６】
上記従来の床暖房パネルでは、パネル体どうしの隣接する縁部が、その長手方向の一端側の折り畳み用の接続部を除いて分離されているので、図９に示すように、パネル体２どうしの隣接する縁部のうちで、接続部３を除く分離状態である分離部分７どうしが離間してしまう虞がある。
また、パネル体２どうしの隣接する縁部の長手方向において、接続部３とは反対側の他端側ほど分離部分７どうしが離間してしまう傾向が強く、接続部３とは反対側の他端側ほど分離部分どうしの離間距離が大きくなる虞がある。
【０００７】
そして、分離部分どうしが離間してしまう要因としては、例えば、床暖房パネルを運搬する場合や保管する場合に、一対のパネル体を折り畳んで分離部分どうしが離間した状態に保持することによる変形などが考えられる。
【０００８】
このようにして、パネル体どうしの隣接する縁部のうちで、分離部分どうしが離間すると、暖房対象の床面に対して床暖房パネルを設置する場合に、一対のパネル体を隣接する状態で並べて敷設するために、分離部分どうしが離間しないように押える作業を行いながら、設置作業を行わなければならず、作業の複雑化を招くことになる。
【０００９】
また、小根太付きの床暖房パネルにおいては、床暖房パネルの上面に床仕上げ材を固定するために小根太に釘打ちするなどの理由から、暖房対象の床面に対して床暖房パネルを設置する場合に、パネル体どうしが隣接する方向に一連に小根太が存在するように、パネル体どうしの隣接する縁部の長手方向での小根太の位置合わせを行うことが求められる。
このような場合に、上述の如く、パネル体どうしの隣接する縁部のうちで、分離部分どうしが離間すると、分離部分どうしが離間しないように押える作業を行いながら、小根太の位置合わせを行わなければならず、小根太を位置合わせするための作業が複雑になり、この点からも作業の複雑化を招くものとなっている。
【００１０】
本発明は、かかる点に着目してなされたものであり、その目的は、パネル体どうしの隣接する縁部のうちで、分離状態である分離部分どうしが離間するのを抑制することができる床暖房パネルを提供する点にある。
【課題を解決するための手段】
【００１１】
この目的を達成するために、本発明にかかる床暖房パネルの第１特徴構成は、加熱用長尺体が配設された一対の矩形状または略矩形状のパネル体が並べて設けられ、前記パネル体どうしの隣接する縁部が、その長手方向の一端側の折り畳み用の接続部を除いて分離されている床暖房パネルにおいて、
前記パネル体どうしの隣接する縁部のうちで、分離状態である分離部分どうしを離間しないように接続する接続手段が設けられている点にある。
【００１２】
すなわち、接続手段が、パネル体どうしの隣接する縁部のうちで、分離状態である分離部分どうしを離間しないように接続するので、接続手段の接続により、分離状態である分離部分どうしが離間するのを抑制することができることになる。
そして、暖房対象の床面に対して床暖房パネルを設置する場合には、接続手段にて分離部分どうしを接続し、その分離部分どうしが接続されている床暖房パネルを、単に、暖房対象の床面に敷設することにより、一対のパネル体を隣接する状態で並べて敷設することができることになる。
【００１３】
また、暖房対象の床面に対して小根太付きの床暖房パネルを設置する場合には、接続手段にて分離部分どうしが接続されているので、パネル体どうしの隣接する縁部の長手方向でパネル体どうしの位置を調整するだけで、パネル体どうしの隣接する縁部の長手方向での小根太の位置合わせを行うことができることになり、あるいは、パネル体どうしの隣接する縁部の長手方向において、接続手段にて接続する位置を合わせることにより、パネル体どうしの隣接する縁部の長手方向での小根太の位置合わせを行うことも可能となって、簡易な作業により小根太の位置合わせを行うことができることになる。
【００１４】
以上のことから、パネル体どうしの隣接する縁部のうちで、分離状態である分離部分どうしが離間するのを抑制することができ、暖房対象の床面に対して床暖房パネルを設置する場合に、その作業の簡素化を図ることができる床暖房パネルを提供できるに至った。
【００１５】
本発明にかかる床暖房パネルの第２特徴構成は、前記接続手段が、前記分離部分どうしを接続していない接続解除状態においては、平面視において、前記パネル体から外側に突出する部分が存在しないように構成されている点にある。
【００１６】
すなわち、接続解除状態においては、平面視において、接続手段がパネル体から外側に突出する部分がないので、接続解除状態としたときの平面視での大きさを小さくすることができることになる。
したがって、床暖房パネルの運搬を行う場合には、接続手段を接続解除状態とすることにより、床暖房パネルの大きさを極力小さくして、床暖房パネルを扱い易くでき、梱包作業や運搬作業などの作業の簡素化を図ることができることになる。
【００１７】
本発明にかかる床暖房パネルの第３特徴構成は、前記接続手段が、隣接する一対の前記パネル体の夫々に設けられた磁石体にて構成されている点にある。
【００１８】
すなわち、隣接する一対のパネル体の夫々に、単に、磁石体を設けることにより、接続手段を構成することができ、その磁石体どうしが接近するように一対のパネル体を近づけるという容易な作業を行うことにより、分離部分どうしを離間しないように接続することができることになる。
したがって、接続手段の構成の簡素化を図りながら、分離部分どうしを離間しないように接続するための作業の簡素化を図ることができることになる。
【００１９】
本発明にかかる床暖房パネルの第４特徴構成は、前記接続手段が、隣接する一対の前記パネル体にわたって装着自在な係止具にて構成されている点にある。
【００２０】
すなわち、容易な構成の係止具にて接続手段を構成することができ、単に、係止具を隣接する一対のパネル体にわたって装着するだけで、分離部分どうしを離間しないように接続することができることになる。
そして、係止具を装着することにより、分離部分どうしを離間しないように接続することができ、その係止具を取り外すだけで、接続解除状態に切り換えることもできることになる。
したがって、接続手段の構成の簡素化を図りながら、分離部分どうしを離間しないように接続するための作業の簡素化を図り、しかも、接続解除状態に切り換えることも簡易に行うことができることになる。
【００２１】
本発明にかかる床暖房パネルの第５特徴構成は、前記パネル体どうしが隣接する方向に沿う状態で小根太が設けられ、前記接続手段が、前記小根太のうち、隣接する一対の前記パネル体にわたる状態に嵌め込み装着自在な嵌め込み用の小根太にて構成されている点にある。
【００２２】
すなわち、接続手段を、嵌め込み用の小根太にて構成することにより、その嵌め込み用の小根太を、小根太本来の目的のために用いることができるとともに、分離部分どうしが離間しないように接続する目的のためにも用いることができることになる。
しかも、嵌め込み用の小根太を予め決められている位置に装着することにより、パネル体どうしの隣接する縁部の長手方向での位置合わせを行う状態で、分離部分どうしを接続できるので、床暖房対象の床面に対して小根太付きの床暖房パネルを設置する場合に、嵌め込み用の小根太を装着するだけで、パネル体どうしの隣接する縁部の長手方向での小根太の位置合わせを行うことができることになる。
【００２３】
したがって、接続手段としての専用の部材を設けなくても、嵌め込み用の小根太の兼用化により、床暖房パネル全体として構成の簡素化を図ることができるとともに、床暖房対象の床面に対して小根太付きの床暖房パネルを設置する際の作業の簡素化を図ることができることになる。
【００２４】
本発明にかかる床暖房パネルの第６特徴構成は、前記パネル体どうしが隣接する方向に沿う状態で小根太が設けられ、前記接続手段が、隣接する一対の前記パネル体のうち一方側から他方側に突出する状態で一方側の前記パネル体に設けられる接続用の小根太と、その接続用の小根太を隣接する一対の前記パネル体にわたる状態に装着すべく、他方側の前記パネル体に設けられて前記接続用の小根太における突出する部分に嵌合する嵌合部とから構成されている点にある。
【００２５】
すなわち、接続手段を、接続用の小根太と嵌合部にて構成することにより、その接続用の小根太を、小根太本来の目的のために用いることができるとともに、分離部分どうしが離間しないように接続する目的のためにも用いることができることになる。
しかも、接続用の小根太を嵌合部に嵌合させることにより、パネル体どうしの隣接する縁部の長手方向での位置合わせを行う状態で、分離部分どうしを接続できるので、床暖房対象の床面に対して小根太付きの床暖房パネルを設置する場合に、接続用の小根太を嵌合部に嵌合させるだけで、パネル体どうしの隣接する縁部の長手方向での小根太の位置合わせを行うことができることになる。
【００２６】
したがって、接続手段としての専用の部材を設けなくても、嵌め込み用の小根太の兼用化により、床暖房パネル全体として構成の簡素化を図ることができるとともに、床暖房対象の床面に対して小根太付きの床暖房パネルを設置する際の作業の簡素化を図ることができることになる。
【００２７】
また、接続手段としての接続用の小根太がパネル体の一方側に一体的に設けられているので、運搬を行う場合などには、床暖房パネルとは別に接続手段を梱包する必要もなく、この点からも作業の簡素化を図ることができることになる。
【発明を実施するための最良の形態】
【００２８】
本発明にかかる床暖房パネルの実施形態について、図面に基づいて説明する。
〔第１実施形態〕
まず、第１実施形態における床暖房パネルについて説明すると、この床暖房パネルは、図１に示すように、加熱用長尺体としての熱媒流通管１が配設された一対の矩形状または略矩形状のパネル体２が並べて設けられ、パネル体２どうしの隣接する縁部が、その長手方向の一端側（図１中左側）の折り畳み用の接続部３を除いて分離され、パネル体２どうしが隣接する方向に沿う状態で小根太４が設けられている。
【００２９】
ちなみに、パネル体２は、例えば、断熱作用を有して軽量化が可能な樹脂製（例えば、発泡ポリスチレンなど）の板状基材にて構成され、小根太４は、例えば、釘打ち可能な木製のものや樹脂製のものから構成されている。
【００３０】
前記一対のパネル体２の夫々は、矩形状または略矩形状の単位パネル５の複数を隣接状態で並べて構成され、図２に示すように、隣接する単位パネル５どうしが、山折り状または谷折り状に折り曲げ自在に構成されている。
そして、隣接する一対のパネル体２は、谷折り状に折り曲げ自在に構成されており、一対のパネル体２を谷折り状に折り畳んだ状態で、隣接する単位パネル５を山折り状または谷折り状に折り畳むことにより、図３に示すように、単位パネル５どうしを重ね合わせる状態で折り畳み可能に構成されている。
【００３１】
隣接する一対のパネル体２の夫々において、熱媒流通管１は、パネル体２の短手方向の両端部で折り返してパネル体２の長手方向に沿って蛇行状となるように、複数の単位パネル５に対して連続する状態で配設されている。
そして、熱媒流通管１は、接続部３を通して一対のパネル体２にわたる状態で配設されており、隣接する一対のパネル体２に対して接続部３を通して連続する状態で一対のパネル体２の全体にわたって配設されている。
【００３２】
ちなみに、熱媒流通管１の配設について説明を加えると、図示はしないが、単位パネル５の夫々に、パネル表面側を開口している上向き凹状の溝部が形成されており、その溝部に熱媒流通管１を配管させることにより、熱媒流通管１をパネル体２の短手方向の両端部で折り返す状態でパネル体２の長手方向に沿って蛇行状となるように配設するように構成されている。
【００３３】
隣接する一対のパネル体２の夫々において、小根太４は、パネル体２の短手方向の両端部において折り返しのための熱媒流通管１を配設することを許容すべく、小根太４が存在しない不連続部分を設ける状態で、パネル体２の長手方向の設定間隔を隔ててパネル体２どうしが隣接する方向に沿って一連に配設されている。
【００３４】
前記熱媒流通管１を配設した状態で、一対のパネル体２の表面側には、その全体にわたってアルミ箔などの均熱体６が設けられており、この均熱体６については、パネル体２どうしの隣接する縁部において、その長手方向の接続部３を除いて分離されている。
【００３５】
前記一対のパネル体２のうち、一方側には、熱媒流通管１に対して温水などの熱媒を供給するとともに、熱媒流通管１を通流した熱媒を受け入れるヘッダＨが設けられており、そのヘッダＨに熱媒流通管１の端部が接続されている。
そして、図外の熱源機からの熱媒を、ヘッダＨを介して、熱媒流通管１に供給し、熱媒流通管１を通流した熱媒を、ヘッダＨを介して、図外の熱源機に戻すように構成されている。
【００３６】
前記パネル体２どうしの隣接する縁部において、その長手方向の接続部３とは反対側の他端側には、パネル体２どうしの隣接する縁部のうちで、分離状態である分離部分７どうしを離間しないように接続する接続手段８が設けられている。
そして、接続手段８は、分離部分７どうしを接続していない接続解除状態においては、平面視において、パネル体２から外側に突出する部分が存在しないように構成されており、その接続手段８が、隣接する一対のパネル体２の夫々に設けられた磁石体９にて構成されている。
【００３７】
説明を加えると、磁石体９は、パネル体２の長手方向において、同じまたは略同じ位置となるように、隣接する一対のパネル体２の夫々に２個ずつ設けられ、磁石体９どうしが接触する面を隣接する一対のパネル体２の縁部に露出する状態で、その全体をパネル体２に埋入させように設けられている。
そして、磁石体９どうしが接近するように一対のパネル体２を近づけることにより、磁石体９どうしを吸着させて、分離部分７どうしを離間しないように接続するように構成されている。
【００３８】
このように構成されている床暖房パネルは、一対のパネル体２を谷折り状に折り畳んだ状態で、隣接する単位パネル５を山折り状または谷折り状に折り畳むことにより、図３に示すように、単位パネル５どうしを重ね合わせる状態で折り畳み、その折り畳まれた床暖房パネルをダンボールなどに梱包して、運搬や保管するように構成されている。
【００３９】
暖房対象の床面に対して床暖房パネルを設置する場合には、まず、図４の（イ）に示すように、折り畳みを解いて床暖房パネルを暖房対象の床面上などに広げ、磁石体９どうしが接近するように一対のパネル体２を近づけることにより、図４の（ロ）に示すように、磁石体９どうしを吸着させて分離部分７どうしを離間しないように接続するように構成されている。
【００４０】
ちなみに、一対のパネル体２の夫々に、２個ずつ磁石体９を設けているので、磁石体９どうしを吸着させることにより、パネル体２どうしの隣接する縁部の長手方向での小根太４の位置合わせもある程度行うことができるので、磁石体９どうしを吸着させた状態で、微調整するなどにより、パネル体２どうしの隣接する縁部の長手方向での小根太４の位置合わせを行うことができることになる。
【００４１】
そして、分離部分７どうしを離間しないように接続させた床暖房パネルを暖房対象の床面に対して置くことにより、一対のパネル体を隣接する状態で並べて敷設し、その敷設した床暖房パネルを固定するなどの設置作業を行うように構成されている。
【００４２】
〔第２実施形態〕
次に第２実施形態における床暖房パネルについて説明するが、この第２実施形態は、接続手段８の構成についての別実施形態であり、接続手段８の構成について詳細に説明し、その他の構成については詳細な説明を省略する。
【００４３】
前記接続手段８が、図５に示すように、パネル体２どうしの隣接する縁部におけるその長手方向の接続部３とは反対側の他端側に設けられ、隣接する一対のパネル体２にわたって装着自在な係止具１０にて構成されている。
説明を加えると、係止具１０は、コの字状に形成されており、パネル体２の側面部に端部を埋め込む状態で隣接する一対のパネル体２にわたって装着することにより、分離部分７どうしを離間しないように接続し、その係止具１０を取り外すことにより、分離部分７どうしを接続していない接続解除状態に切り換えるように構成されている。
【００４４】
暖房対象の床面に対して床暖房パネルを設置する場合には、まず、図５の（イ）に示すように、折り畳みを解いて床暖房パネルを暖房対象の床面上などに広げ、一対のパネル体２にわたって係止具１０を装着することにより、図５の（ロ）に示すように、分離部分７どうしを離間しないように接続するように構成されている。
そして、分離部分７どうしを離間しないように接続させた床暖房パネルを暖房対象の床面に対して置くことにより、一対のパネル体を隣接する状態で並べて敷設し、その敷設した床暖房パネルを固定するなどの設置作業を行うように構成されている。
【００４５】
ちなみに、パネル体２どうしの隣接する縁部の長手方向での小根太４の位置合わせについては、例えば、係止具１０にて分離部分７どうしを接続する状態に仮止めした状態で、パネル体どうしの隣接する縁部の長手方向でパネル体どうしの位置を調整することにより、小根太４の位置合わせを行うことができることになる。
【００４６】
〔第３実施形態〕
次に第３実施形態における床暖房パネルについて説明するが、この第３実施形態は、接続手段８の構成についての別実施形態であり、接続手段８の構成について詳細に説明し、その他の構成については詳細な説明を省略する。
【００４７】
前記接続手段８が、図６に示すように、パネル体２どうしの隣接する縁部におけるその長手方向の接続部３とは反対側の他端側に設けられ、小根太４のうち、隣接する一対のパネル体２にわたる状態に嵌め込み装着自在な嵌め込み用の小根太１１にて構成されている。
【００４８】
説明を加えると、嵌め込み用の小根太１１は、その長手方向の両端部の幅を幅広とした平面視がＨ状に形成されており、隣接する一対のパネル体２の夫々には、嵌め込み用の小根太１１の半分を嵌め込み可能なＴ状の嵌め込み溝１２が形成されている。
そして、嵌め込み用の小根太１１を嵌め込み溝１２に嵌め込んで装着することにより、パネル体２どうしの隣接する縁部の長手方向での小根太４の位置合わせをも行う状態で、分離部分７どうしを離間しないように接続し、その嵌め込み用の小根太１１を取り外すことにより、分離部分７どうしを接続していない接続解除状態とするように構成されている。
【００４９】
ちなみに、嵌め込み用の小根太１１の両端部を幅広とすることにより、嵌め込み用の小根太１１を嵌め込んだ状態においては、その嵌め込み用の小根太１１の両端部における幅広部分の係止作用により、パネル体２どうしが離間することを的確に抑制することができるものであり、このように幅広部分の係止作用によりパネル体２どうしが離間することを的確に抑制することができる嵌め込み用の小根太１１の形態としては、図６に示すように、嵌め込み用の小根太１１の両端部を両側方に突出させる形態だけでなく、例えば、嵌め込み用の小根太１１の両端部を片側方に突出させる形態など、各種の形態に変更することができる。
また、嵌め込み用の小根太１１の両端部を幅広としなくても、嵌め込み用の小根太１１を、同幅または略同幅でその長手方向の長さを十分長いものとして、その嵌め込み用の小根太１１を嵌め込み装着し、その嵌め込み用の小根太１１とその嵌め込み用の小根太１１を嵌め込まれた部分との摩擦により、パネル体２どうしが離間することを的確に抑制することもできる。
【００５０】
なお、この第３実施形態では、図６に示すように、パネル体２どうしの隣接する縁部におけるその長手方向の接続部３とは反対側の端部から２番目に位置する小根太４の一部を嵌め込み用の小根太１１として構成している。
また、図６では、小根太４について、パネル体２どうしの隣接する縁部におけるその長手方向の接続部３とは反対側の他端側のみ示しており、その他の小根太４については図示を省略している。
【００５１】
暖房対象の床面に対して床暖房パネルを設置する場合には、まず、図６の（イ）に示すように、折り畳みを解いて床暖房パネルを暖房対象の床面上などに広げ、嵌め込み用の小根太１１を一対のパネル体２に形成されている嵌め込み溝１２の夫々に嵌め込んで装着することにより、図６の（ロ）に示すように、パネル体２どうしの隣接する縁部の長手方向での小根太４の位置合わせを行う状態で、分離部分７どうしを離間しないように接続するように構成されている。
そして、分離部分７どうしを離間しないように接続させた床暖房パネルを暖房対象の床面に対して置くことにより、一対のパネル体を隣接する状態で並べて敷設し、その敷設した床暖房パネルを固定するなどの設置作業を行うように構成されている。
【００５２】
ちなみに、この第３実施形態では、一対のパネル体２の表面のうち、嵌め込み溝１２の上面に相当する部分には、均熱体６が設けられておらず、嵌め込み溝１２が露出するように構成されており、暖房対象の床面に対する設置作業を行ったのちなどに、嵌め込み溝１２の上面に相当する部分にも均熱体６を設けることにより、一対のパネル体２の全体にわたって均熱体６を配設するように構成されている。
また、床暖房パネルを運搬する場合には、嵌め込み用の小根太１１を嵌め込み溝１２から外しているので、例えば、嵌め込み用の小根太１１を折り畳まれている床暖房パネルと一緒にダンボールなどに梱包するように構成されている。
【００５３】
〔第４実施形態〕
次に第４実施形態における床暖房パネルについて説明するが、この第４実施形態は、接続手段８の構成についての別実施形態であり、接続手段８の構成について詳細に説明し、その他の構成については詳細な説明を省略する。
【００５４】
前記接続手段８は、図７に示すように、パネル体２どうしの隣接する縁部におけるその長手方向の接続部３とは反対側の他端側に設けられ、隣接する一対のパネル体２のうち一方側から他方側に突出する状態で一方側のパネル体２に設けられる接続用の小根太１３と、その接続用の小根太１３を隣接する一対のパネル体２にわたる状態に装着すべく、他方側のパネル体２に設けられて接続用の小根太１３における突出する部分に嵌合する嵌合部１４とから構成されている。
【００５５】
説明を加えると、隣接する一対のパネル体２の一方側には、そのパネル体２から外側に突出する突出部分１３ａを備えた直線状の接続用の小根太１３が設けられ、隣接する一対のパネル体２の他方側には、接続用の小根太１３の突出部分１３ａと嵌合する直線状の嵌合部１４が形成されている。
この嵌合部１４は、その幅を突出部分１３ａの幅よりも少し小さく形成されており、突出部分１３ａを嵌合部１４に対して圧入することにより突出部分１３ａが嵌合部１４に嵌合するように構成されている。
そして、嵌合部１４に対する突出部分１３ａの圧入により接続用の小根太１３を嵌合部１４に嵌合させることにより、パネル体２どうしの隣接する縁部の長手方向での小根太４の位置合わせをも行う状態で、分離部分７どうしを離間しないように接続し、突出部分１３ａの嵌合部１４に対する嵌合を解除することにより、分離部分７どうしを接続していない接続解除状態とするように構成されている。
【００５６】
ちなみに、この第４実施形態では、パネル体２どうしの隣接する縁部におけるその長手方向の接続部３とは反対側の端部から２番目に位置する小根太４の一部を接続用の小根太１３として構成されている。
また、図７では、小根太４について、パネル体２どうしの隣接する縁部におけるその長手方向の接続部３とは反対側の他端側のみ示しており、その他の小根太４については図示を省略している。
【００５７】
暖房対象の床面に対して床暖房パネルを設置する場合には、まず、図７の（イ）に示すように、折り畳みを解いて床暖房パネルを暖房対象の床面上などに広げて、嵌合部１４に対する突出部分１３ａの圧入により接続用の小根太１３を嵌合部１４に嵌合させることにより、図７の（ロ）に示すように、パネル体２どうしの隣接する縁部の長手方向での小根太４の位置合わせを行う状態で、分離部分７どうしを離間しないように接続するように構成されている。
そして、分離部分７どうしを離間しないように接続させた床暖房パネルを暖房対象の床面に対して置くことにより、一対のパネル体を隣接する状態で並べて敷設し、その敷設した床暖房パネルを固定するなどの設置作業を行うように構成されている。
【００５８】
ちなみに、一対のパネル体２の表面のうち、接続用の小根太１３および嵌合部１４の上面に相当する部分には、均熱体６が設けられておらず、接続用の小根太１３および嵌合部１４が露出するように構成されており、暖房対象の床面に対する設置作業を行ったのちなどに、接続用の小根太１３および嵌合部１４の上面に相当する部分にも均熱体６を設けることにより、一対のパネル体２の全体にわたって均熱体６を配設するように構成されている。
【００５９】
〔第５実施形態〕
次に第５実施形態における床暖房パネルについて説明するが、この第５実施形態は、接続手段８の構成についての別実施形態であり、接続手段８の構成について詳細に説明し、その他の構成については詳細な説明を省略する。
【００６０】
前記接続手段８は、図８に示すように、パネル体２どうしの隣接する縁部におけるその長手方向の接続部３とは反対側の他端側に設けられ、隣接する一対のパネル体２の縁部どうしを接着させる接着体としての両面テープ１５にて構成されている。
説明を加えると、隣接する一対のパネル体２の一方側には、両面テープ１５が貼り付けられ、その両面テープ１５により分離部分７どうしを接着させることにより、分離部分７どうしを離間しないように接続するように構成されている。
【００６１】
暖房対象の床面に対して床暖房パネルを設置する場合には、まず、折り畳みを解いて床暖房パネルを暖房対象の床面上などに広げて、図８の（イ）に示すように、隣接する一対のパネル体２の一方側に両面テープ１５を貼り付けて、図８の（ロ）に示すように、その両面テープ１５により分離部分７どうしを接着させることにより、分離部分７どうしを離間しないように接続するように構成されている。
そして、分離部分７どうしを離間しないように接続させた床暖房パネルを暖房対象の床面に対して置くことにより、一対のパネル体を隣接する状態で並べて敷設し、その敷設した床暖房パネルを固定するなどの設置作業を行うように構成されている。
【００６２】
〔別実施形態〕
（１）上記第１〜第５実施形態では、４つの単位パネル５を並べて１つのパネル体２を構成しているが、例えば、１つの単位パネル５にて１つのパネル体２を構成したり、あるいは、２つや５つ以上の単位パネル５を並べて１つのパネル体２を構成して実施することも可能であり、パネル体２を構成する単位パネルの数については適宜変更可能である。
【００６３】
（２）上記第１〜第５実施形態では、隣接する一対のパネル体２の夫々において、小根太４を、パネル体２の短手方向の両端部において折り返しのための熱媒流通管１を配設することを許容すべく、小根太４が存在しない不連続部分を設ける状態で、パネル体２の長手方向の設定間隔を隔ててパネル体２どうしが隣接する方向に沿って一連に配設しているが、小根太４の配設箇所については、適宜変更が可能であり、パネル体どうしが隣接する方向に沿う状態で配設するものであればよい。
【００６４】
（３）上記第１〜第５実施形態では、床暖房パネルを隣接する一対のパネル体２にて構成しているが、隣接する一対のパネル体２を２組設けて構成するなど、床暖房パネルを構成するパネル体２の枚数については適宜変更が可能である。
【００６５】
（４）上記第１〜第５実施形態では、隣接する一対のパネル体２の夫々において、熱媒流通管１は、パネル体２の短手方向の両端部で折り返してパネル体２の長手方向に沿って蛇行状となるように、複数の単位パネル５に対して連続する状態で配設しているが、熱媒流通管１をどのように配設するかについては適宜変更が可能である。
【００６６】
（５）上記第１〜第５実施形態では、加熱用長尺体として、熱媒流通管１が配管された熱媒通流式の床暖房パネルを例示したが、加熱用長尺体として、例えば、電気ヒータ線を配設して、電気式の床暖房パネルに適応して実施することも可能である。
【００６７】
（６）上記第１〜第５実施形態では、一対のパネル体２の夫々を単位パネル５単位で折り畳み自在に構成し、床暖房パネルを単位パネル５どうしを重ね合わせる状態で折り畳むようにしているが、例えば、一対のパネル体２の夫々をその長手方向に丸め込み可能に構成し、一対のパネル体２を折り畳んだ状態において、パネル体２をその長手方向に丸め込むようにすることも可能である。
【００６８】
（７）上記第１、第２、第５実施形態では、パネル体２どうしが隣接する方向に沿う状態で小根太４が設けられている小根太付きの床暖房パネルを例示したが、小根太４が設けられていない床暖房パネルにて構成して実施することも可能である。
【００６９】
（８）上記第１〜第５実施形態では、パネル体２どうしの隣接する縁部におけるその長手方向の接続部３とは反対側の他端側に、接続手段８を設けるようにしているが、パネル体２どうしの隣接する縁部の長手方向において、どの箇所に設けるか、また、いくつ設けるかについては適宜変更が可能である。
例えば、第２実施形態において、複数の係止具１０を、パネル体２どうしの隣接する縁部の長手方向に間隔を隔てて、隣接する一対のパネル体２にわたる状態で装着して実施することも可能であり、また、第３、第４実施形態において、嵌め込み用の小根太１１や接続用の小根太１３をパネル体２どうしの隣接する縁部の長手方向に間隔を隔てて複数設けて実施することも可能である。
【図面の簡単な説明】
【００７０】
【図１】第１実施形態における床暖房パネルの平面図
【図２】床暖房パネルの折り畳みを示す斜視図
【図３】床暖房パネルを折り畳んだ状態を示す斜視図
【図４】第１実施形態における床暖房パネルの平面図
【図５】第２実施形態における床暖房パネルの平面図
【図６】第３実施形態における床暖房パネルの斜視図および平面図
【図７】第４実施形態における床暖房パネルの斜視図および平面図
【図８】第５実施形態における床暖房パネルの斜視図および平面図
【図９】従来技術における床暖房パネルの平面図
【符号の説明】
【００７１】
１          加熱用長尺体
２          パネル体
３          接続部
４          小根太
８          接続手段
９          磁石体
１０        係止具
１１        嵌め込み用の小根太
１３        接続用の小根太
１４        嵌合部
【図１】
2005351595.tif 000003
【図２】
2005351595.tif 000004
【図３】
2005351595.tif 000005
【図４】
2005351595.tif 000006
【図５】
2005351595.tif 000007
【図６】
2005351595.tif 000008
【図７】
2005351595.tif 000009
【図８】
2005351595.tif 000010
【図９】
2005351595.tif 000011